(57)【要約】【課題】  種々の形状のレンジフードに容易且つ確実に装着することができるレンジフード用の排気流ガイド具を提供する。【解決手段】  左右の側板１３，１３の一端部にそれぞれ設けられた間隙調整体２０，２０を備え、間隙調整体２０は、シート体２１が扇子状に折り畳まれて構成され、側板１３に沿ってシート体２１が扇状に開閉可能となるように配置されており、シート体２１の一方端部が側板１３に固定されると共に、シート体２１の他方端部２１ａが接着手段２１ｂを介してレンジフードの開口縁部に装着される。【選択図】  図１
0003172365.tif 000002
【実用新案登録請求の範囲】
【請求項１】
前板、後板および左右の側板により四角筒状に形成される本体部を備え、
前記本体部は、一端部がレンジフードの開口縁部に装着され、前記前板の他端側に形成された切欠部を介して調理可能となるように構成されたレンジフード用の排気流ガイド具であって、
左右の前記側板の一端部にそれぞれ設けられた間隙調整体を備え、
前記間隙調整体は、シート体が扇子状に折り畳まれて構成され、前記側板に沿って前記シート体が扇状に開閉可能となるように配置されており、前記シート体の一方端部が前記側板に固定されると共に、前記シート体の他方端部が接着手段を介してレンジフードの開口縁部に装着されるレンジフード用の排気流ガイド具。
【請求項２】
前記間隙調整体は、前記前板側が拡がるように配置される請求項１に記載のレンジフード用の排気流ガイド具。
【請求項３】
前記本体部は、前記後板および左右の前記側板が、シート状部材の折り曲げにより形成され、前記前板の両側縁部を左右の前記側板にそれぞれ貼着して構成される請求項１または２に記載の排気流ガイド具。
【考案の詳細な説明】
【技術分野】
【０００１】
本考案は、レンジフード用の排気流ガイド具に関し、より詳しくは、加熱調理器の上方に設置されるレンジフードに装着して排気流を案内するレンジフード用の排気流ガイド具に関する。
【背景技術】
【０００２】
台所や厨房に設置されたガスコンロや電磁調理器などの加熱調理器の上方には、一般に、調理中に発生した蒸気や油煙などを空気と共に室外に排気するためのレンジフードが設けられている。ところが、レンジフードを単に設置するだけでは、加熱調理器の周辺に油が飛び散るのを十分に抑制することができず、食器や室内が汚れたり、臭いが染み付くおそれがある。このため、特許文献１には、加熱調理器とレンジフードとの間に形成される空間の三方を壁面とロールアップスクリーンにより遮断し、開かれた一方から調理者が調理できるようにしたキッチン換気設備が開示されている。ロールアップスクリーンは、マグネットによりレンジフードの下部に固定される。
【先行技術文献】
【特許文献】
【０００３】
【特許文献１】特開２００６−２５８３４９号公報
【考案の概要】
【考案が解決しようとする課題】
【０００４】
上記特許文献１に開示されたキッチン換気設備は、ロールアップスクリーンをレンジフードに水平に取り付ける必要があるが、レンジフード内に配置されたフィルタ等によって、レンジフードの内面側には十分な装着スペースが無いおそれがあった。また、ロールアップスクリーンをレンジフードの開口縁部に装着する場合、この開口縁部は必ずしも水平ではなく、例えば調理者に向けて斜め上方に傾斜しているものも多いため、確実に装着できないおそれがあった。このように、上記従来のキッチン換気設備は、ロールアップスクリーンを装着できるレンジフードに制約があるという問題があった。
【０００５】
そこで、本考案は、種々の形状のレンジフードに容易且つ確実に装着することができるレンジフード用の排気流ガイド具の提供を目的とする。
【課題を解決するための手段】
【０００６】
本考案の前記目的は、前板、後板および左右の側板により四角筒状に形成される本体部を備え、前記本体部は、一端部がレンジフードの開口縁部に装着され、前記前板の他端側に形成された切欠部を介して調理可能となるように構成されたレンジフード用の排気流ガイド具であって、左右の前記側板の一端部にそれぞれ設けられた間隙調整体を備え、前記間隙調整体は、シート体が扇子状に折り畳まれて構成され、前記側板に沿って前記シート体が扇状に開閉可能となるように配置されており、前記シート体の一方端部が前記側板に固定されると共に、前記シート体の他方端部が接着手段を介してレンジフードの開口縁部に装着されるレンジフード用の排気流ガイド具により達成される。
【０００７】
このレンジフード用の排気流ガイド具において、前記間隙調整体は、前記前板側が拡がるように配置されることが好ましい。
【０００８】
また、前記本体部は、前記後板および左右の前記側板が、シート状部材の折り曲げにより形成され、前記前板の両側縁部を左右の前記側板にそれぞれ貼着して構成することができる。
【考案の効果】
【０００９】
本考案によれば、種々の形状のレンジフードに容易且つ確実に装着することができるレンジフード用の排気流ガイド具を提供することができる。
【図面の簡単な説明】
【００１０】
【図１】本考案の一実施形態に係るレンジフード用の排気流ガイド具の斜視図である。
【図２】図１に示すレンジフード用の排気流ガイド具の取付方法を説明するための側面図である。
【図３】図１に示すレンジフード用の排気流ガイド具の展開状態を示す平面図である。
【考案を実施するための形態】
【００１１】
以下、本考案の一実施形態について添付図面を参照しつつ説明する。図１は、本考案の一実施形態に係るレンジフード用の排気流ガイド具の斜視図である。図１に示すように、排気流ガイド具１は、前板１１、後板１２および左右の側板１３，１３により四角筒状に形成される本体部１０を備えており、前板１１の左右に設けられた貼着部１１ｃ，１１ｃを、それぞれ左右の側板１３，１３の縁部に貼着して構成される。前板１１の上下方向の長さは、後板１２および左右の側板１３，１３の上下方向の長さよりも短くされており、これによって前板１１の下方に切欠部１４を形成している。本体部１０は、アルミニウム箔を含むシート材から構成されており、本体部１０を装着するレンジフードの照明光を本体部１０の内部で反射させて加熱調理器の近傍に到達させることで、省電力化を図ることができる。アルミニウム箔を含むシート材としては、アルミニウム箔単体以外に、アルミニウムを樹脂シートにラミネートしたり蒸着したものを使用することができる。但し、本体部１０を構成するシート材は、アルミニウム以外の金属箔や、アルミニウムを含まない難燃性の樹脂シート等であってもよい。
【００１２】
前板１１および後板１２の上端には帯状の装着部１１ａ，１２ａが設けられており、装着部１１ａ，１２ａの上面には接着部材１１ｂ，１２ｂが設けられている。接着部材１１ｂ，１２ｂは、本実施形態では帯状の粘着テープからなり、使用時の粘着力を損なわないように、粘着面が剥離紙で覆われている。接着部材１１ｂ，１２ｂは、レンジフードに接着可能なものであればよく、粘着テープ以外に、例えば、ゴム製のマグネットシートや、面ファスナー、吸盤などを使用することができる。
【００１３】
左右の側板１３，１３の上端には帯状の貼着部１３ａ，１３ａが設けられており、貼着部１３ａ，１３ａの前板１１側には、シート体２１が扇子状に折り畳まれて構成された間隙調整体２０，２０がそれぞれ設けられている。間隙調整体２０は、シート体２１が側板１３に沿って開閉可能となるように配置されており、本実施形態では、後板１２側を支点として前板１１側が拡がるように設けられている。シート体２１の開閉方向の両側端部は、一方端部が側板１３の貼着部１３ａに連接されて固定されると共に、他方端部には装着部２１ａが設けられている。装着部２１ａの上面には、上記の接着部材１１ｂ，１２ｂと同様の構成からなる接着部材２１ｂが設けられている。シート体２１の装着部２１ａが設けられた他方端は移動端となっており、シート体２１の開度が適宜変化することで、レンジフードの開口縁部と貼着部１３ａ，１３ａとの間に隙間が生じるのを効果的に防止することができる。
【００１４】
すなわち、上記の構成を備えるレンジフード用の排気流ガイド具１は、図２（ａ）に側面図で示すように、レンジフード３０の排気用の開口縁部３２の全体が水平部３２ａからなる場合には、間隙調整体２０のシート体２１を閉じた状態にして、装着部２１ａを略水平な状態にする。これにより、装着部２１ａの全体をレンジフード３０の開口縁部３２に接着させることができ、前板１１および後板１２の装着部１１ａ，１２ａ（図１参照）も開口縁部３２に接着することで、本体部１０をレンジフード３０に確実に装着することができる。
【００１５】
一方、図２（ｂ）に側面図で示すように、レンジフード３０の開口縁部３２が、後方側（調理者の立ち位置と反対側）が水平部３２ａであり、前方側（調理者の立ち位置側）が前方に向けて上方に傾斜する傾斜部３２ｂとされている場合には、間隙調整体２０のシート体２１を開くことにより、水平部３２ａおよび傾斜部３２ｂの双方に装着部２１ａの全体を密着させることができる。本実施形態のレンジフード用の排気流ガイド具１は、上記の形状を有するレンジフード３０以外に、開口縁部の傾斜角度が多段階で変化するレンジフードや、開口縁部の一部に円弧状等の湾曲形状を有するレンジフードにも対応させることが可能であり、高い汎用性を有している。
【００１６】
こうしてレンジフード３０に装着された排気流ガイド具１は、下方に位置する加熱調理器（図示せず）の上方を覆うことができ、調理者は、切欠部１４を介して加熱調理器を使用した調理を行うことができる。これにより、調理で発生した蒸気や油は、本体部１０の内部を上昇する排気流と共に、レンジフードに確実に案内されるので、レンジフードの排気量が少ない場合（例えば、「弱」スイッチ）でも十分な換気を行うことができ、電力消費を抑制しつつ、油や蒸気の拡散を防止することができる。
【００１７】
排気流ガイド具１の使用後は、レンジフードから容易に取り外してコンパクトに折り畳んで廃棄することができるので、清掃不要であると共に、油や臭いが室内に蓄積されるおそれがなく、快適な調理環境を維持することができる。
【００１８】
図３は、図１に示すレンジフード用の排気流ガイド具の展開状態を示す平面図である。後板１２および左右の側板１３，１３は、１枚のシート状部材１００を山折線１５，１５で山折りすることにより構成される。シート状部材１００の上端側には、装着部１２ａおよび貼着部１３ａ，１３ａが互いに切込線１６で分離されて設けられている。装着部１２ａおよび貼着部１３ａ，１３ａは、表面に設けられた接着部材１２ｂ，１３ｂ；１３ｂが上面側となるように、山折線１７で山折りされる。
【００１９】
シート体２１，２１は、左右の側板１３，１３の貼着部１３ａ，１３ａにそれぞれ連接されており、交互に形成された谷折線２２および山折線２３で扇子状に折り曲げられる。シート体２１，２１の上端側には装着部２１ａ，２１ａが設けられており、装着部２１ａ，２１ａの表面に設けられた接着部材２１ｂ，２１ｂが上面側となるように折り曲げられる。シート体２１の幅は、側板１３の幅よりも短く形成される一方、装着部２１ａは、シート体２１から側方にはみ出して側板１３の幅と略同じ幅を有しており、装着部２１ａのはみ出した部分が貼着部１３ａに貼着される。
【００２０】
前板１１は、シート状部材１００とは分離されており、上端側に設けられた装着部１１ａの裏面に設けられた接着部材１１ｂが上面側となるように、装着部１１ａが谷折線１８で谷折りされる。また、前板１１の両側には貼着部１１ｃ，１１ｃが設けられており、貼着部１１ｃ，１１ｃは、表面に設けられた接着部材１１ｄ，１１ｄが内側を向いて互いに対向するように、それぞれ谷折線１９，１９で谷折される。
【００２１】
排気流ガイド具１を上記のように構成することで、後板１２の装着部１２ａおよび間隙調整体２０，２０の装着部２１ａ，２１ａを、シート体２１の開度を調整してレンジフードに装着した後に、前板１１の装着部１１ａをレンジフードに装着すると共に、貼着部１１ｃ，１１ｃを左右の側板１３，１３の縁部にそれぞれ貼着することができるので、特にレンジフードの開口縁部が傾斜部を有する場合に、装着作業を容易にすることができる。但し、本体部１０は、前板１１、後板１２および左右の側板１３，１３を予め分離した状態で、それぞれをレンジフードに装着して構成することも可能である。或いは、本体部１０を予め四角筒状の状態にしてからレンジフードに装着するようにしてもよい。
【符号の説明】
【００２２】
１  排気流ガイド具
１０  本体部
１１  前板
１２  後板
１３  側板
１４  切欠部
２０  間隙調整体
２１  シート体
２１ａ  装着部
２１ｂ  接着部材
【図１】
0003172365.tif 000003
【図２】
0003172365.tif 000004
【図３】
0003172365.tif 000005